(57)【要約】【課題】本考案は、棚の内部の収納スペースを変えられるだけでなく、棚の外側も変化させることが可能な連結式吊り棚を提供する。【解決手段】二つの側壁と、後壁と、複数の水平区画板とによって複数の收納空間を形成してなる少なくとも一つの棚体を備える。前記棚体の側壁と水平区画板を連結させた位置の外壁面に、複数の第一輪部と複数の側面材を設け、前記側面材の一方の水平端辺と棚体の側壁の外壁面は連結させて固定し、前記側面材の他方の水平端辺には、第二輪部を設け、第二輪部は、第一輪部と一直線上に並ぶように配置し、棒部材を、第一輪部と第二輪部の間に貫設して固定する。棚体ともう一つの棚体の間は、片方の棚体の側壁の外壁面に設けられた側面材の二つの第二輪部の間の割れ目に、もう片方の棚体の側壁の外壁面の第一輪部を嵌合させることで連結し、棒部材を第一輪部と第二輪部の間に貫設して固定する。【選択図】図２
0003166380.tif 000002
【実用新案登録請求の範囲】
【請求項１】
二つの側壁と、後壁と、複数の水平区画板とによって複数の收納空間を形成してなる少なくとも一つの棚体を備えた連結式吊り棚であって、
前記棚体の少なくとも一つの側壁と水平区画板を連結させた位置の外壁面に、複数の第一輪部と複数の側面材を相互に一定の距離をあけて設け、側面材の一方の水平端辺と棚体の側壁の外壁面は連結させて固定し、側面材の他方の水平端辺には、少なくとも一つの第二輪部を設け、第二輪部は、第一輪部と一直線上に並ぶように配置し、さらに、棒部材を、一直線上に並ぶように配置された第一輪部と第二輪部の間に貫設して固定することで、側面材と棚体の側壁に收納袋を形成させ、
片方の棚体ともう片方の棚体の間は、片方の棚体の側壁の外壁面に設けられた側面材の二つの第二輪部の間の割れ目に、もう片方の棚体の側壁の外壁面の第一輪部を、第一輪部と二つの第二輪部が一直線上に並ぶように嵌合させることで連結し、さらに、棒部材を第一輪部と第二輪部の間に貫設して固定することで、側面材で連結した二つの棚体の間にもう一つの收納空間を形成させることを特徴とする、連結式吊り棚。
【請求項２】
前記側面材の端辺には、補助棒を入れるパイプ状部が設けられることを特徴とする、請求項１に記載の連結式吊り棚。
【請求項３】
前記側面材には雄フック部が設けられ、前記棚体の側壁には雌ループ部が設けられ、前記雄フック部は前記雌ループ部に嵌合されることを特徴とする、請求項１に記載の連結式吊り棚。
【請求項４】
前記側面材の水平端辺と前記棚体の側壁の間は、雄面ファスナーと雌面ファスナーを相互に貼りつけることによって連結されることを特徴とする、請求項１に記載の連結式吊り棚。
【考案の詳細な説明】
【技術分野】
【０００１】
本考案は吊り棚に関し、特に、棚体の側壁に物品を入れる收納袋を設けるとともに、複数の棚体の間を側面材で連結させることにより更に多くの收納空間を形成させた吊り棚に関する。
【背景技術】
【０００２】
従来の固定式の吊り棚は、居住環境や需要に合わせて収納スペースを変化させることはできない。また、従来の吊り棚の中には収納スペースを変化させることができるものもあるが、いずれも棚の内部を変化させるだけであり、棚の外側を変化させる構造・機能はもっていない。
【考案の概要】
【考案が解決しようとする課題】
【０００３】
そこで、本考案は、棚の内部の収納スペースを変えられるだけでなく、棚の外側も変化させることが可能な連結式吊り棚を提供することを目的とする。
【課題を解決するための手段】
【０００４】
本考案による連結式吊り棚は、二つの側壁と、後壁と、複数の水平区画板とによって複数の收納空間を形成してなる少なくとも一つの棚体を備える。前記棚体の少なくとも一つの側壁と水平区画板を連結させた位置の外壁面に、複数の第一輪部と複数の側面材を相互に一定の距離をあけて設け、前記側面材の一方の水平端辺と棚体の側壁の外壁面は連結させて固定し、前記側面材の他方の水平端辺には、少なくとも一つの第二輪部を設け、前記第二輪部は、第一輪部と一直線上に並ぶように配置し、さらに、棒部材を、第一輪部と第二輪部の間に貫設して固定することで、前記側面材と棚体側壁に收納袋を形成させる。棚体ともう一つの棚体の間は、片方の棚体の側壁の外壁面に設けられた側面材の二つの第二輪部の間の割れ目に、もう片方の棚体の側壁の外壁面の第一輪部を、第一輪部と二つの第二輪部が一直線上に並ぶように嵌合させることで連結し、さらに、棒部材を前記第一輪部と第二輪部の間に貫設して固定することで、側面材で連結した二つの棚体の間にもう一つの收納空間を形成させる。
【図面の簡単な説明】
【０００５】
【図１】本考案の構造を示した斜視図である。
【図２】一部の側面材を開いた後の本考案の形態を示した斜視図である。
【図３】二つの棚体を側面材で連結させた本考案の実施例を示した斜視図である。
【図４】二つの棚体を側面材で連結させた本考案の実施例を示した平面図である。
【図５】二つの棚体を側面材で連結させ、側面材のパイプ状部に補助棒を貫設させた構造を示した斜視図である。
【図６】側面材と棚体の側壁の間を雄フック部と雌ループ部の貼り合わせによって連結させた本考案の実施例を示した斜視図である。
【図７】側面材と棚体の側壁の間を雄面ファスナーと雌面ファスナーの貼り合わせによって連結させた本考案の実施例を示した斜視図である。
【考案を実施するための形態】
【０００６】
図１と図２に示すように、本考案による連結式吊り棚は、棚体１に、二つの側壁１１と、後壁１５と、複数の水平区画板１４とを設けてなり、それにより垂直方向に配列された複数の收納空間を形成する。棚体１の上端には、クローゼット内の吊り棒（図示せず）に掛けるための吊輪１３を設ける。棚体１の片側の側壁或いは両方の側壁の外壁面には相互に一定の距離をあけた複数の第一輪部１２を設ける。本考案の実施例においては、第一輪部１２は、側壁１１と水平区画板１４を連結する位置に設ける。第一輪部１２の長さは、上方に形成される隙間に物品を置くために、長くする。本考案は、さらに、棚体１の側壁の外壁面に複数の側面材２を設け、側面材２の一方の水平端辺は、棚体１の側壁１１の外壁面と水平区画板１４を連結する位置に設ける。側面材２は、棚体１に対して可動に設けられ、側面材２の他方の水平端辺には、少なくとも一つの第二輪部２２を設ける。本考案の実施例では、第二輪部２２は二つであり、二つの第二輪部２２の間には、第一輪部１２を嵌めこむための割れ目２１を設け、第一輪部１２を割れ目２１に嵌めこむと、第二輪部２２と第一輪部１２は一直線上に並ぶように配置される。本考案では、さらに複数の棒部材３を設ける。まず、側面材２を棚体１の側壁１１にくっつけ、第一輪部１２と第二輪部２２を一直線上に並ぶように配置させた後、棒部材３を第一輪部１２と第二輪部２２の間に貫設すると、側面材２の二つの水平端辺が棚体の側壁１１に連結されるとともに、側面材２の二つの垂直端辺と側壁１１により開口をもつ収納袋が形成され、使用者は物品を入れることができる。本考案の実施例において、棒部材３は適切な材料からなる。二つの側壁１１に側面材２を連結する際、両側の側面材２と側壁１１の連結箇所は、それぞれずらした位置にすることもできるし、相互に対応する位置にすることもできる。
【０００７】
本考案は、二つ、或いは、二つ以上の棚体を並列に連結させて更に多くの收納空間をもつ形態にすることができる。図３と図４に示すように、その組み立て方法は、棒部材３を第一輪部１２と第二輪部２２から引き抜き（図２に図示）、側面材２の水平端辺を側壁１１から分離させ、その後、第一輪部１２から分離された第二輪部２２を、もう一つの棚体１の側壁の第一輪部１２に移動させ、第一輪部１２を二つの第二輪部２２の間に嵌めこみ、第一輪部１２と二つの第二輪部２２が一直線上に並ぶように配置させる。そして、さらに、棒部材３を第一輪部１２と第二輪部２２の間に貫設すると、側面材２によって二つの棚体１の側壁１１が連結されるとともに、二つの側壁１１の間に複数の收納空間が形成する。また、図５に示すように、本考案は、さらに、側面材２の端辺に、パイプ状部２３をそれぞれ設けることができる。側面材２を二つの棚体１の間に連結した後、側面材２のパイプ状部２３内に補助棒３１を配置することで、側面材２の水平状態の構造を強化し、大きな重量でも耐えられるようにすることができる。
【０００８】
本考案の側面材２と棚体１の側壁１１の間の組合せ構造は、棒部材３を第一輪部１２と第二輪部２２に貫設して固定する方法以外にも、図６に示すような方法がある。即ち、側面材２における水平端に近い適切な位置に複数の雄フック部２４を設けるとともに、棚体側壁１１における雄フック部２４に対応する位置に複数の雌ループ部１６を設け、雄フック部２４を雌ループ部１６に嵌合させると、側面材２と棚体側壁１１の間には物品を入れられる收納袋が形成される。
【０００９】
図７に示すように、本考案の別の実施例では、側面材２における水平端に近い適切な位置に、雄面ファスナー２５を設けるとともに、棚体の側壁１１に、雄面ファスナー２５に対応する雌面ファスナー１７を設け、雄面ファスナー２５と雌面ファスナー１７を相互に貼り合わせると、側面材２と棚体側壁１１の間には物品を入れられる收納袋が形成される。
【符号の説明】
【００１０】
１        棚体
１１      側壁
１２      第一輪部
１３      吊輪
１４      水平区画板
１５      後壁
１６      雌ループ部
１７      雌面ファスナー  
２        側面材
２１      割れ目
２２      第二輪部
２３      パイプ状部
２４      雄フック部
２５      雄面ファスナー
３        棒部材
３１      補助棒
【図１】
0003166380.tif 000003
【図２】
0003166380.tif 000004
【図３】
0003166380.tif 000005
【図４】
0003166380.tif 000006
【図５】
0003166380.tif 000007
【図６】
0003166380.tif 000008
【図７】
0003166380.tif 000009